(57)【要約】【課題】種々の大きさの商品を収納して販売することができるとともに、賞味期限管理を行うことができる自動販売機を提供すること。【解決手段】前面に開口が形成され、内部に商品収容庫２が画成された本体キャビネット１と、上下方向に沿って延在する態様で画成された商品収納通路１４と、ラック側板１２に近接離反する態様でリンク機構１８を介して左右方向に沿って移動可能に配設された可動側板１７とを有する商品収納ラック１１と、商品収納ラック１１を本体キャビネット１の前面開口を通じて外部に引き出し可能に配設したレール機構２０とを備えた自動販売機において、ラック側板１２の一方には、商品収納通路１４に収納される商品のうち最下位にある商品を観察するための観察用開口１２１が形成されており、リンク機構１８及び可動側板１７は、観察用開口１２１に対応する個所に観察用孔部１７ａ，１８ａがそれぞれ形成されて成るものである。【選択図】図６
2011048694.tif 000002
【特許請求の範囲】
【請求項１】
前面に開口が形成され、かつ内部に商品収容庫が画成された自動販売機本体と、
左右一対のラック側板の間に複数の通路構成要素を配設することにより、上下方向に沿って延在する態様で画成された商品収納通路と、これらラック側板に近接離反する態様でリンク機構を介して左右方向に沿って移動可能に配設され、前記商品収納通路の左右幅を調整するための可動側板とを有する商品収納ラックと、
前記商品収容庫に収容された前記商品収納ラックを前記自動販売機本体の前面開口を通じて外部に引き出し可能に配設した引出手段と
を備えた自動販売機において、
前記ラック側板の一方には、前記商品収納通路に収納される商品のうち最下位にある商品を観察するための観察用開口が形成されており、
前記リンク機構及び前記可動側板は、前記観察用開口に対応する個所に観察用孔部がそれぞれ形成されて成ることを特徴とする自動販売機。
【請求項２】
前記観察用開口が形成されたラック側板の下端部には、電気的接続を実現するための配線を保持する配線カバー部材が係止されてなり、
前記ラック側板の商品収納通路側面における前記配線カバー部材よりも僅かに上方となる個所に、自身の上端部が下方に向かうに連れて漸次商品収納通路に突出する傾斜面を成し、かつ該上端部から下方域が前記配線カバー部材と同一面上、若しくは前記配線カバー部材よりも商品収納通路に突出する態様で上下方向に沿って延在する規制面を成すガイド部材が着脱可能に配設されて成ることを特徴とする請求項１に記載の自動販売機。
【請求項３】
前記観察用開口が形成されたラック側板と一対となるラック側板には、前記商品収納通路に収納された商品の抜き取りを可能にする抜取用開口窓が形成されており、
前記ラック側板に装着された場合に、前記抜取用開口窓を縦断する態様で覆い、かつ自身の長手方向に沿って延在する絞部が前記抜取用開口窓を通じて前記商品収納通路側に突出する扉部を備えたことを特徴とする請求項１又は請求項２に記載の自動販売機。
【発明の詳細な説明】
【技術分野】
【０００１】
本発明は、自動販売機に関し、より詳細には、前面に開口が形成された直方状の自動販売機本体である本体キャビネットと、本体キャビネットの内部に画成された商品収容庫に収容され、かつ複数の商品を収納する商品収納ラックと、商品収納ラックを本体キャビネットの前面開口を通じて外部に引き出し可能に配設した引出手段とを備えた自動販売機に関するものである。
【背景技術】
【０００２】
従来、例えば缶入り飲料等の商品を販売する自動販売機として、常態においては自動販売機本体である本体キャビネットの商品収容庫に収容され、商品補充時若しくはメンテナンス時において商品収容庫から前方に引き出されるサーペンタイン式商品収納ラックを備えたものが知られている。
【０００３】
このようなサーペンタイン式商品収納ラックは、前後方向に屈曲した板状のレールを向かい合わせて上下方向に沿って蛇行した商品収納通路を画成し、該商品収納通路の一方の側面を開放して商品を補充するように構成されている（例えば、特許文献１参照）。
【先行技術文献】
【特許文献】
【０００４】
【特許文献１】特開昭５７−９０７９５号公報
【発明の概要】
【発明が解決しようとする課題】
【０００５】
ところで、上述したような自動販売機においては、商品収納通路の一方の側面を開放しているため、商品収納通路の左右幅を調整することが困難であり、結果として種々の大きさの商品を収納して販売することが困難である。
【０００６】
一方、近年、自動販売機においても、賞味期限が経過した商品、いわゆる賞味期限切れ商品の販売を防止すべく、商品の賞味期限管理を行うことが求められている。
【０００７】
本発明は、上記実情に鑑みて、種々の大きさの商品を収納して販売することができるとともに、賞味期限管理を行うことができる自動販売機を提供することを目的とする。
【課題を解決するための手段】
【０００８】
上記目的を達成するために、本発明の請求項１に係る自動販売機は、前面に開口が形成され、かつ内部に商品収容庫が画成された自動販売機本体と、左右一対のラック側板の間に複数の通路構成要素を配設することにより、上下方向に沿って延在する態様で画成された商品収納通路と、これらラック側板に近接離反する態様でリンク機構を介して左右方向に沿って移動可能に配設され、前記商品収納通路の左右幅を調整するための可動側板とを有する商品収納ラックと、前記商品収容庫に収容された前記商品収納ラックを前記自動販売機本体の前面開口を通じて外部に引き出し可能に配設した引出手段とを備えた自動販売機において、前記ラック側板の一方には、前記商品収納通路に収納される商品のうち最下位にある商品を観察するための観察用開口が形成されており、前記リンク機構及び前記可動側板は、前記観察用開口に対応する個所に観察用孔部がそれぞれ形成されて成ることを特徴とする。
【０００９】
また、本発明の請求項２に係る自動販売機は、上述した請求項１において、前記観察用開口が形成されたラック側板の下端部には、電気的接続を実現するための配線を保持する配線カバー部材が係止されてなり、前記ラック側板の商品収納通路側面における前記配線カバー部材よりも僅かに上方となる個所に、自身の上端部が下方に向かうに連れて漸次商品収納通路に突出する傾斜面を成し、かつ該上端部から下方域が前記配線カバー部材と同一面上、若しくは前記配線カバー部材よりも商品収納通路に突出する態様で上下方向に沿って延在する規制面を成すガイド部材が着脱可能に配設されて成ることを特徴とする。
【００１０】
また、本発明の請求項３に係る自動販売機は、上述した請求項１又は請求項２において、前記観察用開口が形成されたラック側板と一対となるラック側板には、前記商品収納通路に収納された商品の抜き取りを可能にする抜取用開口窓が形成されており、前記ラック側板に装着された場合に、前記抜取用開口窓を縦断する態様で覆い、かつ自身の長手方向に沿って延在する絞部が前記抜取用開口窓を通じて前記商品収納通路側に突出する扉部を備えたことを特徴とする。
【発明の効果】
【００１１】
本発明の自動販売機によれば、ラック側板の一方には、前記商品収納通路に収納される商品のうち最下位にある商品を観察するための観察用開口が形成されており、リンク機構及び可動側板は、観察用開口に対応する個所に観察用孔部がそれぞれ形成されているので、種々の大きさの商品を収納することができ、しかも観察用開口及び観察用孔部を通じて商品収納通路に収納される商品の賞味期限情報を目視することが可能である。従って、種々の大きさの商品を収納して販売することができるとともに、賞味期限管理を行うことができるという効果を奏する。また、最下位の商品、つまり最初に補充された商品は商品搬出機構のストッパに着地して収容されるものであるが、商品搬出機構のストッパに着地した際にバウンドして最悪の場合には起立姿勢となることがあり、このように収容商品の姿勢が乱れている場合、観察用開口及び観察用孔部を通じて商品の姿勢を修正することもできるという効果を奏するものである。
【図面の簡単な説明】
【００１２】
【図１】図１は、本発明の実施の形態である自動販売機の内部構造を示す斜視図である。
【図２】図２は、図１に示した本体キャビネット１の内部構造を左斜め前方より見た場合を模式的に示す斜視図である。
【図３】図３は、図２に示したレール機構を示す分解斜視図である。
【図４】図４は、図２に示したレール機構を示す分解斜視図である。
【図５】図５は、図２に示したレール機構を示す正面図である。
【図６】図６は、商品収納ラックの要部を拡大して示すもので、左側のラック側板を示す斜視図である。
【図７】図７は、商品収納ラックの要部を拡大して示すもので、左側のラック側板を示す斜視図である。
【図８】図８は、商品収納ラックの要部を拡大して示すもので、左側のラック側板を示す斜視図である。
【図９】図９は、商品収納ラックの要部を拡大して示すもので、左側のラック側板を示す斜視図である。
【図１０】図１０は、商品収納ラックの要部を拡大して示すもので、内部構造を正面から見た場合を示す正面図である。
【図１１】図１１は、商品収納ラックの要部を拡大して示すもので、右側ラック側板の要部を拡大して示す斜視図である。
【図１２】図１２は、商品収納ラックの要部を拡大して示すもので、右側ラック側板の要部を拡大して示す斜視図である。
【図１３】図１３は、図１に示した自動販売機の要部を模式的に示す断面平面図である。
【図１４】図１４は、図１３に示したガスケット保護部材を正面から見た場合を示す正面図である。
【図１５】図１５は、図１に示した自動販売機の要部を模式的に示す断面平面図である。
【発明を実施するための形態】
【００１３】
以下に添付図面を適宜参照しながら、本発明に係る自動販売機の好適な実施の形態について詳細に説明する。
【００１４】
図１は、本発明の実施の形態である自動販売機の内部構造を示す斜視図である。ここで例示する自動販売機は、缶入り飲料やペットボトル入り飲料等の商品を販売するためのもので、自動販売機本体である本体キャビネット１を備えている。
【００１５】
本体キャビネット１は、前面が開口した直方状の断熱筐体として形成されたものである。この本体キャビネット１の内部には、複数（図示の例では３つ）の独立した商品収容庫２が左右に並設してある。これら商品収容庫２は、缶入り飲料やペットボトル入り飲料等の商品を所望の温度に維持した状態で収容するためのものである。各商品収容庫２には、それぞれの上方部に、商品投入口３を通じて投入された商品を横倒し姿勢で収容するための商品収納装置１０が配設してある一方、搬出シュータ４によって区画される下方に熱交換器（図示せず）が配設してあり、該熱交換器の駆動により、商品収納装置１０に収納された飲料缶やペットボトルを所望の冷却温度、あるいは加熱温度に維持することが可能である。尚、本実施の形態においては、自動販売機を正面から見た場合の左方を左側とし、自動販売機を正面から見た場合の右方を右側として説明する。
【００１６】
上記自動販売機には、本体キャビネット１の一側縁部に扉体５を設けてある。扉体５は、本体キャビネット１の前面開口を開閉するためのもので、内扉５ａ及び外扉５ｂを備えて構成してある。内扉５ａは、本体キャビネット１に設けた商品収容庫２の前面を覆うのに十分な大きさを有したものである。図示の例では、内扉５ａを上下に分割し、それぞれを個別に開閉できるようにしてある。
【００１７】
外扉５ｂは、本体キャビネット１の前面開口を覆うのに十分な大きさを有したものである。この外扉５ｂには、図には明示しないが、その前面側にディスプレイウィンドウ、商品選択ボタン、硬貨投入口、紙幣挿入口、一体表示器、硬貨返却口、商品取出口が設けてある。一方、外扉５ｂの後面側には、硬貨処理機６、硬貨回収箱７、紙幣処理機８が設けてある。
【００１８】
ディスプレイウィンドウは、外扉５ｂの内部に配設されたディスプレイ台に載置される商品見本等を利用者に視認させるための窓である。商品選択ボタンは、利用者が購入商品を選択するための押ボタンスイッチであり、ディスプレイウィンドウを通じて視認される商品見本ごとに用意してある。硬貨投入口は、利用者が硬貨を投入するための開口である。この硬貨投入口を通じて投入された硬貨は、硬貨処理機６においてその金種が識別され、その後、硬貨回収箱７に収容されることになる。紙幣挿入口は、利用者が紙幣を挿入するための開口である。この紙幣挿入口を通じて挿入された紙幣は、紙幣処理機８においてその金種が識別されることになる。また上記紙幣挿入口は、紙幣処理機８において識別できなかった紙幣を返却するための機能を有している。一体表示器は、貨幣の投入金額、販売中であるか否か、釣銭があるか否か等、各種情報を利用者に表示するためのものである。硬貨返却口は、硬貨処理機６において識別できなかった硬貨、あるいは釣銭となる硬貨を利用者に返却するための開口である。商品取出口は、商品収納装置１０から払い出された商品を利用者が受け取るための開口である。
【００１９】
図２は、図１に示した本体キャビネット１の内部構造を左斜め前方より見た場合を模式的に示す斜視図である。ここで例示する商品収納装置１０は、複数（図示の例では３つ）の商品収納ラック１１が前後方向に連結されて構成してある。
【００２０】
商品収納ラック１１は、左右一対のラック側板１２の間に架け渡して上下方向に連設した湾曲セグメント（通路構成要素）１３から成るセグメント列を上下方向に半ピッチずつずらして向かい合うよう配置して上下方向に沿って前後に蛇行した商品収納通路（商品収納コラム）１４を前後方向に複数段（図示の例では２段）並べて画成している。このような商品収納通路１４は、上端開口が商品入口となる一方、下端開口が商品出口となっている。商品収納通路１４の前後奥行き長さは、最も太径の商品が投入された場合にもこれを通過させることのできる大きさに構成してある。尚、図には明示しないが、湾曲セグメント１３には適宜フラッパが設けてある。フラッパは、板バネ等の弾性力によって商品収納通路１４に突出するように設けてあり、商品収納通路１４を通過する商品に当接することによって商品へ加えられる衝撃を緩衝するとともに、商品収納通路１４において商品の姿勢を修正するためのものである。
【００２１】
このような商品収納ラック１１には、上記商品収納通路１４の他にトップトレイ１５及び商品搬出機構１６（図６参照）が配設してある。トップトレイ１５は、商品収容庫２の前面開口（商品投入口３）から投入された商品を商品収納通路１４の上端開口に案内するためのプレート状部材である。このトップトレイ１５は、商品収納通路１４から前方に向けて漸次上方に傾斜する態様で、換言すると商品投入口３から商品収納通路１４の上端開口に向けて漸次下方に傾斜する態様でラック側板１２の間に架設してある。トップトレイ１５は、その上面に商品収納通路１４の上端開口に連絡する態様で、前方（商品投入口３）より横倒し姿勢で投入された商品を商品収納通路１４の上端開口に案内する商品案内通路を形成するものである。商品搬出機構１６は、商品収納通路１４の下端開口近傍に配設してあり、払出指令が与えられることにより、商品収納通路１４の収納された商品のうち最下位にある商品を１つずつ下方に払い出すものである。払い出された商品は、搬出シュータ４を転動し、商品取出口より取り出し可能な状態となる。上記商品収納ラック１１の詳細な構成は後述する。
【００２２】
このような商品収納ラック１１を前後に３つ連結してなる商品収納装置１０は、図２に示すように、伸縮自在なレール機構（引出手段）２０により本体キャビネット１（商品収容庫２）の前面開口を通じて外部に引出可能となっている。
【００２３】
図３〜図５は、それぞれ図２に示したレール機構２０を示すもので、図３及び４は分解斜視図、図５は正面図である。ここで例示するレール機構２０は、固定レール部材２１と、可動レール部材２２と、ラックレール部材２３とを備えて構成してある。
【００２４】
固定レール部材２１は、鋼板等を屈曲して形成したもので、本体キャビネット１（商品収容庫２）の天井面にそれぞれが前後方向に沿って延設された左右一対のレール部材である。これら固定レール部材２１は、ともにＬ字状を成しており、より詳細に説明すると、左側の固定レール部材２１は、水平方向に沿って延在し、かつ天井面に取り付けられる水平延在部２１１と、この水平延在部２１１の右端より下方に延在する垂下部２１２とを有して成り、右側の固定レール部材２１は、水平方向に延在し、かつ天井面に取り付けられる水平延在部２１１と、この水平延在部２１１の左端より下方に延在する垂下部２１２とを有して成るものである。固定レール部材２１における垂下部２１２の前方の外面側には、ローラ２１３が配設してある。また、左右一対の固定レール部材２１は、複数の固定レール連結部材２１４により互いに連結されている。
【００２５】
可動レール部材２２は、鋼板等を屈曲して形成したもので、固定レール部材２１と略等しい前後長を有しており、それぞれが固定レール部材２１に対して前後方向に沿って移動可能に配設された左右一対のレール部材である。つまり、左側の可動レール部材２２は、左側の固定レール部材２１に対して前後方向に沿って移動可能に配設されているとともに、右側の可動レール部材２２は、右側の固定レール部材２１に対して前後方向に沿って移動可能に配設されている。
【００２６】
このような左右一対の可動レール部材２２は、前後方向に立設した態様で延在する壁部２２１と、この壁部２２１の上端より内方に向けて延在する上端水平延在部２２２と、上記壁部２２１の下端より外方に向けて延在する下端水平延在部２２３とをそれぞれ有している。また、可動レール部材２２における壁部２２１の後方の内面側にはローラ２２４が配設してある。かかる可動レール部材２２は、上端水平延在部２２２が固定レール部材２１に配設されたローラ２１３に載置され、ローラ２２４が固定レール部材２１の水平延在部２１１の下面に当接する態様で該固定レール部材２１に係合し、該固定レール部材２１に対して前後方向に沿って移動可能となっている。また、左右一対の可動レール部材２２は、可動レール連結部材２２５により互いに連結されている。
【００２７】
ラックレール部材２３は、鋼板等を屈曲して形成したもので、それぞれが商品収納装置１０（商品収納ラック１１）を構成するラック側板１２の上端部に取り付けられているとともに、それぞれが可動レール部材２２に対して前後方向に移動可能に配設された左右一対のレール部材である。これらラックレール部材２３の内壁面の前後方向の略中央には、ローラ２３１が配設してあり、また、ラックレール部材２３の後方には可動レール部材２２の下端水平延在部２２３を上下から挟むように挟持片２３２，２３３が切り起しにより形成されている。そして、前記挟持部材２３２，２３３により可動レール部材２２の下端水平延在部２２３を挟み付けるとともに前記ローラ２３１を可動レール部材２２の下端水平延在部２２３の上面に転動可能に載置した状態で該可動レール部材２２に係合し、該可動レール部材２２に対して前後方向に沿って移動可能となっている。
【００２８】
このような左右一対のラックレール部材２３は、自身の中央部から後方部に至る任意の個所においてラックレール連結部材２３４により互いに連結されている。ここで、図３〜図５中の符号２４は、可動レール連結部材２２５に取り付けられたストッパ部材である。
【００２９】
このようなレール機構２０は、可動レール部材２２がローラ２１３，２２４を介して固定レール部材２１に対して略半分の長さだけ前方に移動し、かつラックレール部材２３がローラ２３１及び挟持部材２３２，２３３を介して可動レール部材２２に対して略半分の長さだけ前方に移動する結果、本体キャビネット１の前面開口を通じて商品収納装置１０の全体を前方に引き出すことができる。その一方、ラックレール部材２３がローラ２３１及び挟持部材２３２，２３３を介して可動レール部材２２に対して後方に移動し、かつ可動レール部材２２がローラ２１３，２２４を介して固定レール部材２１に対して後方に移動する結果、本体キャビネット１の商品収容庫２の内部に商品収納装置１０を収容することができる。なお、レール部材２０は商品収納装置１０を庫内に収容した状態で不図示のロック手段により格納状態が保持されている。
【００３０】
図２に示すように、商品収納装置１０は、本体キャビネット１とケーブルＣを介して電気的に接続してある。つまり、ケーブルＣは、商品収納装置１０の例えば商品搬出機構１６のような電装装置と、本体キャビネット１に設置された電源装置との電気的接続を実現するためのものである。この図２において符号Ｄは、背面ダクトである。背面ダクトＤは、商品収容庫２の背面側に配設してあり、該商品収容庫２の内部雰囲気を循環させるためのものである。この背面ダクトＤの上端側の前面開口は、商品収容庫２の内部雰囲気を導入するための導入口Ｄ１である。
【００３１】
このようなケーブルＣは、商品収容庫２の背面、並びに商品収納装置１０の背面においても鋼板等を屈曲して成るケーブルガイド部材ＣＧによりガイドされた態様ではわされており、商品収容庫２の背面と、商品収納装置１０の背面との間では、一端が商品収納装置１０の背面左右の何れか一方の上部に位置し、他端が該商品収納装置１０を収容する商品収容庫２の背面の前記商品収納装置１０の位置とは逆の上部に位置した状態で、その途中が下方で屈曲した状態となっている。
【００３２】
このようなケーブルガイド部材ＣＧは、商品収納装置１０が商品収容庫２に収容される場合に、商品収納装置１０と商品収容庫２との間であって背面ダクトＤの上方域となる空間Ｓにおいて正面から見たときにケーブルＣが重なり合わない姿勢で収容するものである。
【００３３】
以下においては、上述した商品収納ラック１１の詳細な構成について説明する。図６〜図１２は、それぞれ上記商品収納ラック１１の要部を拡大して示すもので、図６〜図９は、それぞれ斜視図であって左側のラック側板１２を示すものであり、図１０は内部構造を正面から見た場合を示す正面図であり、図１１及び図１２は、右側ラック側板１２の要部を拡大して示す斜視図である。
【００３４】
図６及び図７に示すように、左側ラック側板１２の下部には、商品収納通路１４に収納される商品のうち最下位の商品に対応する位置、すなわち商品搬出機構１６が配設される位置に最下位の商品を観察するための矩形状の観察用開口１２１が形成してある。ここで、ラック側板１２の観察用開口１２１の下方には当該観察用開口１２１よりも小さい矩形状開口が複数形成してあるとともに観察用開口１２１の上方には商品収納通路１４に沿って複数の小円孔が形成されている。
【００３５】
また、商品収納ラック１１には可動側板１７が設けてある。可動側板１７は、従来公知のように商品収納通路１４の形状に合わせて板金加工した薄鋼板製のもので、上下一対のリンク機構１８によって左側のラック側板１２に近接離反する態様で左右方向に沿って移動可能に配設してあり、商品収納通路１４の左右幅を調整するためのものである。またリンク機構１８は、鋼板等からなる薄板状部材であり、下端が左側ラック側板１２に揺動可能に係止され、上端が可動側板１７に揺動可能に係止されている。特に下側のリンク機構１８は、図６及び図７に示すように、下端が観察用開口１２１の下縁部において揺動可能に係止されている。このような可動側板１７及びリンク機構１８は、図６及び図７に示すように、観察用開口１２１に対応する個所に観察用孔部１７ａ，１８ａがそれぞれ形成されて成るものである。
【００３６】
図６及び図８に示すように左側ラック側板１２の下端部分には、後方に向かうに連れて漸次上方に傾斜する態様で延在する配線カバー部材１２２が形成してある。この配線カバー部材１２２は、上記ケーブルＣとともに電気的接続を実現するための配線を保持するもので、薄板鋼板により下端部を屈曲させてケーブルＣを保持するように構成され、左側ラック側板１２の下端部に取付けられている。そして、図８に示すように、左側ラック側板１２の内面側（商品収納通路１４側）であって、配線カバー部材１２２よりも僅かに上方となる個所にガイド部材３０が着脱可能に配設してある。このようなガイド部材３０は、図９に示すように、上端に設けられた舌片状の係止片３１、並びに下端に屈曲した態様で設けられた舌片状の係止片３２を左側ラック側板１２に形成された貫通孔１２４に貫通させて取り付けられたものである。このようなガイド部材３０は、図１０にも示すように、上端部が下方に向かうに連れて漸次内方、すなわち漸次商品収納通路１４に突出する傾斜面３０１を成し、かつ該上端部から下方域が配線カバー部材１２２と同一面上、若しくは配線カバー部材１２２よりも商品収納通路１４側に僅かに突出する態様で上下方向に延在する規制面３０２を成している。このようなガイド部材３０は、複数の長孔状の開口が適宜形成してある。
【００３７】
図１１に示すように、右側ラック側板１２の下部には、商品収納通路１４に収納される商品のうち最下位の商品に対応する位置には、抜取用開口窓１２３及び扉部４０が設けてある。この抜取用開口窓１２３は、商品収納通路１４に収納される商品の通過を許容する大きさを有しており、商品収納通路１４に収納される商品の抜き取りを可能にするものである。
【００３８】
扉部４０は、下端４１が右側ラック側板１２に揺動可能かつ上下にスライド自在に軸支されており、上方にスライドさせて上端に形成された係止孔部４２が右側ラック側板１２の抜取用開口窓１２３の上部に切り起しにより形成された係止突起部１２４に係止することにより、該抜取用開口窓１２３を縦断する態様でその一部を覆うものである。この扉部４０には、その中央部に自身の長手方向に沿って延在する絞部４３が形成してある。絞部４３は、扉部４０が抜取用開口窓１２３を覆う場合に、該抜取用開口窓１２３を通じて商品収納通路１４に突出するものである。この絞部４３には、上端部から中央部にかけて下方に向かうに連れて漸次突出する傾斜突出面４３ａが形成してある。また、この絞部４３の下端４１には、舌片状の係合片４３ｂが形成してあり、扉部４０が抜取用開口窓１２３を縦断する態様で覆う場合に、該係合片４３ｂが抜取用開口窓１２３の下縁部の内側（商品収納通路１４側）に進入するようにしてある。
【００３９】
図１２に示すように、前後の商品収納ラック１１に跨って固定金（固定部材）５０が設けてある。このような固定金５０は、ラック側板１２の下端部側に配設してあり、複数の商品収納ラック１１を前後に並べて配設する場合に、互いに前後関係となるラック側板１２の前縁部１２ａ及び後縁部１２ｂに設けられた差込用孔１２ｃを挿通して、自身の切起部５１を後縁部１２ｂに当接させて抜止とすることにより、商品収納ラック１１同士を固定して互いの位置を規定するものである。つまり、固定金５０は閂として機能し、前後に配設された商品収納ラック１１の下端が左右にずれるのを防止するものである。
【００４０】
図２に示すように、複数（図示の例では３つ）の商品収納ラック１１が前後方向に連結して成る商品収納装置１０においては、ラック側板１２の外面にガイドレール部材６０及びガイドカバー部材７０が配設してある。
【００４１】
ガイドレール部材６０は、前後方向に延在する長尺状のもので、表面が平滑なものと成っている。このようなガイドレール部材６０は、詳細は図示しないが、自身の前端部及び後端部に係止爪が形成してあり、かかる係止爪を商品収納装置１０（最前部の商品収納ラック１１及び最後部の商品収納ラック１１）の所定個所に進入させて屈曲等させることにより配設してある。
【００４２】
ガイドカバー部材７０は、商品収納装置１０の側面の上部を覆うのに十分な大きさを有した平板状のもので、表面が平滑なものとなっている。このようなガイドカバー部材７０は、詳細は図示しないが、自身の前端部及び後端部に係止爪が形成してあり、かかる係止爪を商品収納装置１０（最前部の商品収納ラック１１及び最後部の商品収納ラック１１）の所定個所に進入させて屈曲等させることにより配設してある。このガイドカバー部材７０には、長孔状の開口が適宜形成してある。
【００４３】
図１３は、図１に示した自動販売機の要部を模式的に示す断面平面図である。ここで図１における符号８０は、ガスケット部材である。ガスケット部材８０は、既に周知のように弾性材料から形成されたものであり、本体キャビネット１の商品収納庫２を画成する開口の全周に亘って装着されるものである。このガスケット部材８０は、本体キャビネット１の係止される硬質部とシーリングを形成する軟質部からなり、軟質部が商品収納ラック１１（商品収納装置１０）の前方域の一部を覆う（つまり、庫内側に突出する）態様で装着されており、内扉５ａが閉成される場合に該内扉５ａに押圧されて弾性変形することにより気密性を確保するものである。
【００４４】
上記自動販売機においては、このようなガスケット部材８０に形成された貫通孔８１を貫通する態様で、図１に示すようなガスケット保護部材８２が係合してある。ガスケット保護部材８２は、鋼板等により商品収納庫の開口右側面に上下に延在して形成されている。このガスケット保護部材８２は、図１４に示すように、商品収納ラック１１（商品収納装置１０）における商品投入口３に対峙する部分８２ａの幅に対してその下方域部分８２ｂの幅を広く形成するとともに上下方向に複数の屈曲した軸支部８２１を形成したものであり、軸支部８２１がガスケット部材８０の硬質部に形成した貫通孔８１を貫通している。この軸支部８２１は、下方に延在するフック状に形成してあり、これによりガスケット保護部材８２は、ガスケット部材８０から抜け出すことが規制されているとともに、かかる軸支部８２１のガスケット部材８０の貫通孔８１の内壁面との当接個所を軸心としてその軸心回りにガスケット保護部材８２が揺動可能と成っている。このようなガスケット保護部材８２は、常態においては、自身の先端部８２２が商品収納ラック１１（商品収納装置１０）の前方域に進出した状態に位置している。この場合、ガスケット保護部材８０の幅の狭い上方域は商品収納ラックの商品投入口３を塞ぐことがないようにされている。
【００４５】
そして、レール機構２０を介して商品収納ラック１１を前方に引き出す場合に、図１５に示すように、ガスケット保護部材８２が図中の軸支部８２１を中心に反時計回りに揺動、すなわち変位してガスケット部材８０におけるシーリングを形成する軟質部を弾性変形させて商品収納ラック１１の前方域から退避させ、これによりガスケット部材８０の軟質部が右側ラック側板１２の剥き出し部に当接して破損するのを防止するものである。この場合、ガスゲット保護部材８２は右側ラック側板１２の外面に配設したガイドレール部材６０の表面に当接しており、商品収納ラック１１を庫内に収容する際に右側ラック側板１２の凹凸に引っ掛かることがない。
【００４６】
以上説明したように本実施の形態である自動販売機においては、左右一対の固定レール部材２１が、商品収容庫２の天井面にそれぞれが前後方向に沿って延設されており、左右一対の可動レール部材２２が、固定レール部材２１に対してそれぞれがローラ２１３を介して前後方向に沿って移動可能に配設されており、左右一対のラックレール部材２３が、可動レール部材２２に対してそれぞれがローラ２３１を介して前後方向に沿って移動可能に配設され、かつそれぞれが商品収納装置１０を構成するラック側板１２に取り付けられているので、従前のように支持枠を通じて商品収納装置１０を吊り下げ支持する必要がなく、可動レール部材２２と商品収納装置１０（商品収納ラック１１）の上端との距離を短縮化することができ、これにより商品収納装置１０（商品収納ラック１１）の高さ寸法を小さくする必要がない。従って、商品収納装置１０（商品収納ラック１１）を本体キャビネット１の前面開口を通じて外部に引き出し可能に配設した場合においても、商品の収納数の減少を抑制することができる。
【００４７】
特にレール機構２０を構成する固定レール部材２１、可動レール部材２２及びラックレール部材２３を左右一対となる態様で分割して構成したことにより、レール機構２０自体を軽量化することができる。また左右一対の可動レール部材２２を可動レール連結部材２２５により互いに連結させたことにより可動レール部材２２の強度を保持することが可能になる。更に左右一対のラックレール部材２３を、中央部から後方部に至る任意の個所でラックレール連結部材２３４により互いに連結させたことにより、ラックレール部材２３の強度を保持することができるとともに、トップトレイ１５が後方に向かうに連れて漸次下方に傾斜して配置することにより生ずるデッドスペースを有効に活用することができ、これにより、ラックレール部材２３が商品投入口３のスペースを確保（つまり、商品の投入スペースを確保）することができるので商品投入口３の位置を下方に移動させる必要がなく、ラックレール部材２３の強度を保持することが可能になる。
【００４８】
また、上記自動販売機においては、ケーブルガイド部材ＣＧが、商品収納装置１０が商品収容庫２に収容される場合に、商品収納装置１０と商品収容庫２との間であって背面ダクトＤの上方域となる空間Ｓにおいて正面から見たときにケーブルＣが重なり合わない姿勢で収容するので、背面ダクトＤの上方域という空間Ｓを有効に活用することができ、しかもかかる空間ＳにケーブルＣを収容するので、当該空間Ｓを内部雰囲気が循環するのを妨げることとなり、背面ダクトＤは、導入口Ｄ１から内部雰囲気を良好に導入することが可能になり、これにより内部雰囲気のゾーン冷却、あるいはゾーン加熱を良好に行うことができる。
【００４９】
更に、上記自動販売機においては、左側ラック側板１２には、商品収納通路１４に収納される商品のうち最下位にある商品を観察するための観察用開口１２１が形成されており、リンク機構１８及び可動側板１７は、観察用開口１２１に対応する個所に観察用孔部１７ａ，１８ａがそれぞれ形成されているので、種々の大きさの商品を収納することができ、しかも観察用開口１２１及び観察用孔部１７ａ，１８ａを通じて商品収納通路１４に収納される商品の賞味期限情報を目視することが可能である。従って、種々の大きさの商品を収納して販売することができるとともに、賞味期限管理を行うことができる。しかも、可動側板１７と左側ラック側板１２との間には、商品が収納されない空間となるが、観察用孔部１７ａ，１８ａを通じて該空間を通過する加熱空気を商品収納通路１４に導入することが可能になり、これにより商品収納通路１４に収納された商品の加熱を良好に行うことができ、商品温度の平準化を図ることができる。さらに、観察用開口１２１及び観察用孔部１７ａ，１８ａを通じて商品収納通路内の商品の姿勢の乱れを修正することができる。
【００５０】
また更に、上記自動販売機によれば、左側ラック側板１２の商品収納通路１４側における配線カバー部１２２よりも僅かに上方となる個所に、自身の上端部が下方に向かうに連れて漸次商品収納通路１４に突出する傾斜面３０１を成し、かつ該上端部から下方域が配線カバー部１２２と同一面上、若しくは配線カバー部材１２２よりも商品収納通路１４に僅かに突出する態様で上下方向に沿って延在する規制面３０２を成すガイド部材３０が着脱可能に配設されているので、商品収納通路１４を通過した商品が配線カバー部１２２に当接することを回避することができ、これにより商品姿勢が崩れることによる商品詰まりの発生を抑制することができる。
【００５１】
上記自動販売機によれば、右側ラック側板１２には、商品収納通路１４に収納された商品の抜き取りを可能にする抜取用開口窓１２３が形成されており、扉部４０が右側ラック側板１２に装着された場合に抜取用開口窓１２３を縦断する態様で覆い、かつ自身の長手方向に沿って延在する絞部４３が抜取用開口窓１２３を通じて商品収納通路１４側に突出するので、商品収納通路１４の収納された商品の抜き取りができるだけでなく、商品収納通路１４を通過する商品が抜取用開口窓１２３の下縁部等に当接して姿勢を崩してしまうことを回避することができる。
【００５２】
上記自動販売機によれば、ガスケット部材８０が、商品収納庫２を画成する開口の全周に亘って本体キャビネット１に装着され、内扉５ａが閉成される場合に該内扉５ａに押圧されて弾性変形することにより気密性を確保し、ガスケット保護部材８２が、常態においてはガスケット部材８０が商品収納庫２の前方域の一部を覆うことを許容し、引出手段により商品収納ラック１１が前面開口を通じて外部に引き出される場合には、自身が変位してガスケット部材８０を弾性変形させて商品収納ラック１１の前方域から退避させるので、商品収納ラック１１を本体キャビネット１の前面開口を通じて外部に引き出す場合においてもガスケット部材８０が損傷してしまうことを抑制することができる。特に常態においてガスケット保護部材８２が商品収納ラック１１の前方域に位置した状態でガスケット部材８０を押さえつけるので、気密性を更に向上させることができる。
【００５３】
上記自動販売機によれば、商品収納装置１０（商品収納ラック１１）のラック側板１２の外面に前後方向が長手方向となる態様で配設され、かつ表面が平滑なガイドレール部材６０を配設したので、商品収納装置１０を引き出す際に隣り合う商品収納ラック１１等に引っ掛かる虞れがない。
【００５４】
上記自動販売機によれば、商品収納装置１０（商品収納ラック１１）のラック側板１２の上部域の外面に表面が平滑な平板状のガイドカバー部材７０を配設したので、商品収納装置１０を引き出す際に隣り合う商品収納ラック１１等に引っ掛かる虞れがない。
【００５５】
上記自動販売機によれば、固定金５０が、互いに前後関係となる商品収納ラック１１同士を固定して互いの位置を規定するので、商品収納ラック１１が左右に位置ずれ等を起こすことを抑制することができる。
【００５６】
以上、本発明の好適な実施の形態について説明したが、本発明はこれに限定されるものではなく、種々の変更を行うことができる。
【００５７】
例えば上述した実施の形態では、扉部４０は、舌片状の係合片４３ｂが形成してあったが、本発明においては、かかる係合片４３ｂがなくても構わない。
【産業上の利用可能性】
【００５８】
以上のように、本発明に係る自動販売機は、例えば缶入り飲料やペットボトル入り飲料等の商品を販売するのに有用である。
【符号の説明】
【００５９】
１  本体キャビネット
５  扉体
１０  商品収納装置
１１  商品収納ラック
１２  ラック側板
１２１  観察用開口
１２２  配線カバー部
１２３  抜取用開口窓
１３  湾曲セグメント
１４  商品収納通路
１５  トップトレイ
１６  商品搬出機構
１７  可動側板
１７ａ  観察用孔部
１８  リンク機構
１８ａ  観察用孔部
２０  レール機構
２１  固定レール部材
２１３  ローラ
２１４  固定レール連結部材
２２  可動レール部材
２３  ラックレール部材
２３１  ローラ
２３４  ラックレール連結部材
２４  ストッパ部材
３０  ガイド部材
３０１  傾斜面
３０２  規制面
４０  扉部
４３  絞部
５０  固定金
６０  ガイドレール部材
７０  ガイドカバー部材
８０  ガスケット部材
８２  ガスケット保護部材
Ｃ  ケーブル
ＣＧ  ケーブルガイド部材
Ｄ  背面ダクト
Ｄ１  導入口
Ｓ  空間
【図１】
2011048694.tif 000003
【図２】
2011048694.tif 000004
【図３】
2011048694.tif 000005
【図４】
2011048694.tif 000006
【図５】
2011048694.tif 000007
【図６】
2011048694.tif 000008
【図７】
2011048694.tif 000009
【図８】
2011048694.tif 000010
【図９】
2011048694.tif 000011
【図１０】
2011048694.tif 000012
【図１１】
2011048694.tif 000013
【図１２】
2011048694.tif 000014
【図１３】
2011048694.tif 000015
【図１４】
2011048694.tif 000016
【図１５】
2011048694.tif 000017